(57)【要約】【課題】シャッター本体のリバウンド動作をふせぎ、シャッター本体が露光路の開閉動作を確実に行うことができるように構成されたデジタルカメラ及びシャッター装置を提供する。【解決手段】本発明のデジタルカメラ１００は、撮影レンズ１０４と、カメラボディ１０２と、シャッター本体１４２と、シャッター本体を作動させるためのアクチュエータ１４４と、シャッター本体１４２が閉鎖位置にあるときにシャッター本体１４２の移動を制限するための移動制限部１４６とを備える。デジタルカメラ１００では、シャッター本体１４２が開放位置から閉鎖位置に移動するとき、シャッター本体１４２が閉鎖位置に近いほうの領域でアクチュエータ１４４に加えられる動作用エネルギーが、シャッター本体１４２が開放位置に近いほうの領域でアクチュエータ１４４に加えられる動作用エネルギーより大きくなるように構成される。【選択図】      図４
2004219740.tif 000002
【特許請求の範囲】
【請求項１】
シャッター機構を備えたデジタルカメラにおいて、
被写体からの光束を結像させるための撮影レンズと、
前記撮影レンズを通る被写体からの光束を記録するためのカメラボディと、
前記被写体からの光束の露光路の開閉を行うためのシャッター本体と、
該シャッター本体が前記露光路を閉じる「閉鎖状態」に対応する閉鎖位置と、前記シャッター本体が前記露光路を開く「開放状態」に対応する開放位置との間で移動可能なように、前記シャッター本体を作動させるためのアクチュエータと、
前記シャッター本体が前記閉鎖位置にあるときに、前記シャッター本体の移動を制限するための移動制限部と、
前記アクチュエータを作動させるためのシャッター制御部とを備え、
前記シャッター本体が前記開放位置から前記閉鎖位置に移動するとき、前記シャッター本体が前記閉鎖位置に近いほうの領域にあるときに前記アクチュエータに加えられる動作用エネルギーが、前記シャッター本体が前記開放位置に近いほうの領域にあるときに前記アクチュエータに加えられる動作用エネルギーより大きくなるように制御するように、前記シャッター制御部は構成される、
ことを特徴とするデジタルカメラ。
【請求項２】
前記シャッター制御部は、
被写体からの光束の光量を測定するための光量測定部と、
前記シャッター本体が前記開放位置から前記閉鎖位置まで移動するのに要するシャッター閉じきり時間に関する情報を記憶するためのシャッター閉じきり時間記憶部と、
前記光量測定部が測定した被写体からの光束の光量の測定結果の信号を入力し、前記シャッター閉じきり時間記憶部が記憶しているシャッター閉じきり時間に関する情報に基づいて、前記アクチュエータに加えられる動作用エネルギーの大きさを制御するためのシャッター作動制御部と、
を備えることを特徴とする、請求項１に記載のデジタルカメラ。
【請求項３】
前記シャッター制御部は、
被写体からの光束の光量を測定するための光量測定部と、
前記光量測定部が測定した被写体からの光束の光量の変化を検出する光量演算部と、
前記光量演算部が検出した被写体からの光束の光量の変化に関する情報に基づいて、前記アクチュエータに加えられる動作用エネルギーの大きさを制御するためのシャッター作動制御部と、
を備えることを特徴とする、請求項１に記載のデジタルカメラ。
【請求項４】
デジタルカメラ用のシャッター装置において、
被写体からの光束の露光路の開閉を行うためのシャッター本体と、
該シャッター本体が前記露光路を閉じる「閉鎖状態」に対応する閉鎖位置と、前記シャッター本体が前記露光路を開く「開放状態」に対応する開放位置との間で移動可能なように、前記シャッター本体を作動させるためのアクチュエータと、
前記シャッター本体が前記閉鎖位置にあるときに、前記シャッター本体の移動を制限するための移動制限部と、
前記アクチュエータを作動させるためのシャッター制御部とを備え、
前記シャッター本体が前記開放位置から前記閉鎖位置に移動するとき、前記シャッター本体が前記閉鎖位置に近いほうの領域にあるときに前記アクチュエータに加えられる動作用エネルギーが、前記シャッター本体が前記開放位置に近いほうの領域にあるときに前記アクチュエータに加えられる動作用エネルギーより大きくなるように制御するように、前記シャッター制御部は構成される、
ことを特徴とするシャッター装置。
【請求項５】
前記シャッター制御部は、
被写体からの光束の光量を測定するための光量測定部と、
前記シャッター本体が前記開放位置から前記閉鎖位置まで移動するのに要するシャッター閉じきり時間に関する情報を記憶するためのシャッター閉じきり時間記憶部と、
前記光量測定部が測定した被写体からの光束の光量の測定結果の信号を入力し、前記シャッター閉じきり時間記憶部が記憶しているシャッター閉じきり時間に関する情報に基づいて、前記アクチュエータに加えられる動作用エネルギーの大きさを制御するためのシャッター作動制御部と、
を備えることを特徴とする、請求項４に記載のシャッター装置。
【請求項６】
前記シャッター制御部は、
被写体からの光束の光量を測定するための光量測定部と、
前記光量測定部が測定した被写体からの光束の光量の変化を検出する光量演算部と、
前記光量演算部が検出した被写体からの光束の光量の変化に関する情報に基づいて、前記アクチュエータに加えられる動作用エネルギーの大きさを制御するためのシャッター作動制御部と、
を備えることを特徴とする、請求項４に記載のシャッター装置。
【発明の詳細な説明】
【０００１】
【発明の属する技術分野】
本発明は、シャッター機構を備えたデジタルカメラに関する。特に、本発明は、シャッター本体のリバウンドを制御することができるように構成されたシャッター機構を備えたデジタルカメラに関する。さらに、本発明は、シャッター本体のリバウンドを制御することができるように構成されたデジタルカメラ用のシャッター装置に関する。
【０００２】
【従来の技術】
従来の露光用シャッター装置は、シャッター本体のリバウンドを制御して、正確な露光時間を得ることができるようになっている。このような露光用シャッター装置では、シャッター本体が可動板に接しない状態で、ねじりコイルばねによって弾性板から離れた状態に配置されるローラが設けられる。シャッター本体が開閉移動したそれぞれの位置にある状態において、ローラを移動させながら可動板を弾性板に押圧する。これにより、シャッター本体の運動エネルギーが吸収され、シャッター本体の反動が抑制される。このような露光用シャッター装置では、可動板の立設部はシャッター本体の反動部に接するので、これによっても、シャッター本体の反動が抑制される。（例えば、特許文献１参照）。
通常、従来のシャッター装置では、シャッター駆動電流は、シャッター作動が開始されてから停止するまで一定である。
【特許文献１】
特開平７−２０９７７０号公報（第２〜４頁、図１）
【０００３】
【発明が解決しようとする課題】
しかし、特許文献１に開示されているような従来の露光用シャッター装置は、シャッター本体、ねじりコイルばね、弾性板、ローラ、可動板、可動板の立設部、ピンなどの部品を含むので、シャッター機構を構成する部品点数が多く、シャッター構造が複雑化するという課題がある。
また、このような露光用シャッター装置では、シャッターはシャッター本体をソレノイド等のアクチュエータ手段で回転駆動させ、デジタルカメラの露光路を閉止する状態にシャッター本体を選択的に移動させることによって露光路の開閉を行っている。シャッター本体が開閉移動した位置では、シャッター本体はストッパに接して停止するが、シャッター本体がストッパに接したときの反動によって、シャッター本体が移動方向と逆方向に若干の角度だけ戻されるリバウンド動作が生じる。このリバウンド動作により、シャッター本体が露光路の開閉動作を確実に行うことができなくなり、露光時間が不均一になるおそれがあった。
【０００４】
さらに、シャッター本体が接する部材としてゴムなどの衝撃吸収材料を用いる構造も知られているが、この構造では、シャッター本体の運動エネルギーを充分に吸収することができず、ゴムの劣化によりシャッター本体の運動エネルギーを吸収する衝撃吸収能力が低下するおそれがあった。
【０００５】
【発明の目的】
本発明の目的は、部品点数が少ないシャッター機構を含むデジタルカメラを提供することにある。
本発明の他の目的は、シャッター本体のリバウンド動作をふせぎ、シャッター本体が露光路の開閉動作を確実に行うことができるように構成されたデジタルカメラ及びシャッター装置を提供することにある。
【０００６】
【課題を解決するための手段】
上記課題を解決するために、本発明は、シャッター機構を備えたデジタルカメラにおいて、被写体からの光束を結像させるための撮影レンズと、撮影レンズを通る被写体からの光束を記録するためのカメラボディと、被写体からの光束の露光路の開閉を行うためのシャッター本体とを備える。本発明のデジタルカメラは、さらに、シャッター本体が前記露光路を閉じる「閉鎖状態」に対応する閉鎖位置と、シャッター本体が前記露光路を開く「開放状態」に対応する開放位置との間で移動可能なように、前記シャッター本体を作動させるためのアクチュエータと、シャッター本体が前記閉鎖位置にあるときに、シャッター本体の移動を制限するための移動制限部とを備える。
本発明のデジタルカメラは、シャッター本体が前記開放位置から前記閉鎖位置に移動するときにアクチュエータに加えられる動作用エネルギーは、シャッター本体が前記閉鎖位置に近いほうの領域における動作用エネルギーが、シャッター本体が前記開放位置に近いほうの領域における動作用エネルギーより大きくなるように、前記アクチュエータを作動させるためのシャッター制御部を備えることを特徴とする。
【０００７】
本発明のデジタルカメラ用のシャッター装置は、被写体からの光束の露光路の開閉を行うためのシャッター本体と、シャッター本体が前記露光路を閉じる「閉鎖状態」に対応する閉鎖位置と、シャッター本体が前記露光路を開く「開放状態」に対応する開放位置との間で移動可能なように、シャッター本体を作動させるためのアクチュエータと、アクチュエータを作動させるためのアクチュエータ作動制御部とを備える。シャッター本体が開放位置から閉鎖位置に移動するとき、シャッター本体が閉鎖位置に近いほうの領域にあるときにアクチュエータに加えられる動作用エネルギーが、シャッター本体が開放位置に近いほうの領域にあるときにアクチュエータに加えられる動作用エネルギーより大きくなるように制御するように、シャッター制御部は構成されることを特徴とする。
【０００８】
シャッター制御部は、被写体からの光束の光量を測定するための光量測定部と、シャッター本体が前記開放位置から前記閉鎖位置まで移動するのに要するシャッター閉じきり時間に関する情報を記憶するためのシャッター閉じきり時間記憶部と、光量測定部が測定した被写体からの光束の光量の測定結果の信号を入力し、シャッター閉じきり時間記憶部が記憶しているシャッター閉じきり時間に関する情報に基づいて、アクチュエータに加えられる動作用エネルギーの大きさを制御するためのシャッター作動制御部とを備えるように構成することができる。このような電流制御により、記憶されたシャッター作動時間をもとにして、シャッタードライバＩＣ（定電流ＩＣ）の帰還抵抗をスイッチングし、通常時においてアクチュエータを定電流駆動（通電開始からシャッター閉じきり時まで）させる状態と、アクチュエータに印加する電流値を増加させて定電流駆動（シャッター閉じきり時からシャッター停止時まで）させる状態とを切り換えることができる。
【０００９】
また、本発明の他の観点では、シャッター制御部は、被写体からの光束の光量を測定するための光量測定部と、光量測定部が測定した被写体からの光束の光量の変化を検出する光量変化検出部と、光量変化検出部が検出した被写体からの光束の光量の変化に関する情報に基づいて、アクチュエータに加えられる動作用エネルギーの大きさを制御するためのシャッター作動制御部とを備えるように構成してもよい。この構成により、シャッター本体のリバウンド動作をふせぐことができ、また、シャッター本体が露光路の開閉動作を確実に行うことができる。
【００１０】
【発明の効果】
本発明により、部品点数が少ないシャッター機構を含むデジタルカメラを実現することができる。
また、本発明により、シャッター本体のリバウンド動作をふせぎ、シャッター本体が露光路の開閉動作を確実に行うことができるように構成されたデジタルカメラ及びシャッター装置を実現することができる。
【００１１】
【発明の実施の形態】
以下に、本発明の実施の形態を図面に基づいて説明する。
（１）第１の実施の形態
最初に、本発明の第１の実施の形態について説明する。本発明の第１の実施の形態の特徴は、シャッター機構を備えたデジタルカメラである。
（１・１）デジタルカメラの構造
最初に、本発明の第１の実施の形態において、デジタルカメラの構造について説明する。図１〜図３を参照すると、本発明のデジタルカメラ１００は、被写体からの光束を記録するためのカメラボディ１０２と、被写体からの光束を通すための撮影レンズ１０４とを備える。撮影レンズ１０４はカメラボディ１０２に対して着脱可能に取り付けられる。変形例として、撮影レンズ１０４をカメラボディ１０２に固定した構造であってもよい。
【００１２】
撮影レンズ１０４は撮影レンズ光軸１０４ｘと、撮影レンズ光学系１０６と、距離調節機構１０８と、絞り調節機構１１０とを有する。撮影レンズ１０４は、さらに、絞り１２６と、撮影レンズ光学系１０６の一部のレンズ又は全部のレンズを移動させて被写体からの光束により形成された像を合焦させるための合焦機構１７２と、絞り１２６を作動させるための絞り作動機構１７４とを備える。合焦機構１７２は、例えば、モータと、モータの回転を減速して伝達する伝達歯車と、伝達歯車の回転により作動してレンズを移動させるためのカムとを含むように構成することができる。絞り作動機構１７４は、例えば、ソレノイドと、ソレノイドの作動により絞りを作動させるためのレバーとを含むように構成することができる。
【００１３】
カメラボディ１０２は、光学式のファインダー１１２と、シャッターボタン１１４と、１個以上のスイッチ１１６ａ〜１１６ｃ（図には３個のスイッチを示す）と、１個以上のダイヤル１１８ａ〜１１８ｃ（図には３個のダイヤル示す）と、ストロボ１１９と、表示部１６０とを含む。表示部１６０は、カメラボディ１０２の背面に配置される。表示部１６０は、例えば、カラー液晶パネル（ＬＣＤパネル、ＴＦＴパネルなど）で構成される。
【００１４】
デジタルカメラ１００の動作のオン・オフを制御するための電源スイッチ１１６ｃがカメラボディ１０２に設けられる。ストロボ１１９をカメラボディ１０２から上方にポップアップさせ、ストロボ用キャパシタをチャージしてストロボ１１９の発光準備の動作を制御するためのストロボスイッチ１１６ｂがカメラボディ１０２に設けられる。ストロボ１１９を発光させたときに、反射光を受光するための受光部１１９ｂがストロボ１１９の発光部１１９ａの横に配置される。ストロボ１１９を発光させる前に、いわゆる「赤目」を防止するために、予備的に発光する予備発光部１１９ｃがストロボ１１９の発光部１１９ａの横に、カメラボディ１０２の前面に配置される。
【００１５】
スイッチ１１６ａ〜１１６ｃは回転式スイッチであってもよいし、スライド式スイッチであってもよいし、プッシュ式スイッチであってもよいし、タッチセンサ式スイッチであってもよい。シャッターの速度を設定するためのシャッター速度ダイヤル１１８ａがカメラボディ１０２に設けられる。デジタルカメラ１００の動作モードを設定するためのモードダイヤル１１８ｂがカメラボディ１０２に設けられる。１１８ａ〜１１８ｃは回転式スイッチであってもよいし、スライド式スイッチであってもよいし、プッシュ式スイッチであってもよいし、タッチセンサ式スイッチであってもよい。
【００１６】
シャッター１４０がカメラボディ１０２に内蔵される。シャッターボタン１１４がカメラボディ１０２のグリップ部１０２ｇの上面に設けられる。シャッター速度設定ダイアル１１８がカメラボディ１０２の上面に設けられる。シャッター速度の制御は電子式で行なわれる。シャッター速度を制御するための源振を構成する水晶振動子１３６と、シャッター速度を制御するための制御部を含むＩＣ１３２と、電源を構成する電池１２０とがカメラボディ１０２に内蔵される。この構成では、電池１２０により水晶振動子１３６とＩＣ１３２とを作動させて、シャッター速度を制御することができる。
【００１７】
撮影レンズ光学系１０６を通る被写体からの光束を受像するためのＣＣＤ素子１３０がカメラボディ１０２に内蔵される。ＩＣ１３２は、ＣＣＤ素子１３０が受像した被写体からの光束に関する情報を演算処理するためのＣＰＵを内蔵する。ＣＰＵはＩＣ１３２と別個に設けた第２のＩＣに内蔵することもできる。前記ＣＰＵが演算処理した被写体からの光束に関する情報を記憶するためのＲＡＭカード１３４がカメラボディ１０２に設けられる。絞り作動機構１７４、シャッター１４０、合焦機構１７２の作動はＩＣ１３２内のＣＰＵにより制御される。変形例として、ＲＡＭカード１３４の代わりに、或いは、ＲＡＭカード１３４とともに、フロッピディスク、光ディスク、ＣＤ−Ｒ、ＣＤ−ＲＷ、ＤＶＤ−ＲＡＭ、ＤＶＤ−ＲＷなどの記憶媒体を用いることができる。
【００１８】
ＩＣ１３２内には、ＣＰＵ、ＲＯＭ、ＲＡＭなどが設けられる。或いは、ＩＣ１３２と別個に、ＲＯＭ、ＲＡＭなどを設けることもできる。ＩＣ１３２は各種の動作を行うプログラムを内蔵したＰＬＡ−ＩＣで構成することができる。基準信号を発生するための水晶振動子１３６と、電源を構成する電池１２０とはカメラボディ１１０に内蔵される。また、本発明の実施の形態においては、必要に応じて、ＩＣ１３２とともに、抵抗、コンデンサ、コイル、ダイオード、トランジスタなどの外付け素子を用いることができる。
【００１９】
（１・２）シャッターの構造
次に、シャッターの構造について説明する。図４は、シャッター１４０が「開放状態」にあるときを示す。ここで、「開放状態」とは、シャッター本体１４２が、被写体からの光束の露光路から離れて配置されている状態を示す。図４に示す状態では、被写体からの光束はＣＣＤ素子１３０に入射される。図５は、シャッター１４０が「閉鎖状態」にあるときを示す。ここで、「閉鎖状態」とは、シャッター本体１４２が、被写体からの光束の露光路を遮る位置にある状態を示す。したがって、図５に示す状態では、被写体からの光束はＣＣＤ素子１３０に到達しない。
【００２０】
図４および図５を参照すると、シャッター１４０は、シャッター本体１４２と、シャッター本体１４２を作動させるためのアクチュエータ１４４（二点鎖線で示す）と、シャッター本体１４２が閉鎖位置にあるときにシャッター本体１４２の移動を制限するための閉鎖時移動制限部１４６（右下がりの細かいハッチングで示す）と、シャッター本体１４２が開放位置にあるときに、シャッター本体１４２の移動を制限するための開放時移動制限部１４８（右上がりの細かいハッチングで示す）とを備える。シャッター本体１４２の回転中心に対する一次モーメントを減らすためのバランサ１４２ｂをシャッター本体１４２に設けるのがよい。アクチュエータ１４４の出力部１４４ｄ（右上がりの粗いハッチングで示す）はシャッター本体１４２に固定される。アクチュエータ１４４の出力部１４４ｄは、歯車機構（図示せず）などの伝達機構（変速機構）を介してシャッター本体１４２に固定してもよい。アクチュエータ１４４により、シャッター本体１４２を左右両方向に回転させることができるように構成される。アクチュエータ１４４は、例えば、ソレノイド、モータ、ばね、ぜんまい、磁石などで構成することができる。シャッター本体１４２が閉鎖位置にあるとき、シャッター本体１４２は閉鎖時移動制限部１４６に接触するように構成される（図５参照）。シャッター本体１４２が開放位置にあるとき、シャッター本体１４２は開放時移動制限部１４８に接触するように構成される（図４参照）。
【００２１】
（１・３）電子回路の構成
次に、本発明の第１の実施の形態において、デジタルカメラ１００の電子回路の構成について説明する。図６を参照すると、ＩＣ１３２には、ダイヤル１１８ｂの操作により設定されたモードを記憶するためのモード記憶部１３２ａと、スイッチ１１６ａの作動に基づき、および、シャッターボタン１１４の作動によりデジタルカメラ１００の作動を制御するための作動制御部１３２ｂと、作動制御部１３２ｂが出力する信号に基づいてストロボ１１９の発光を制御するためのストロボ制御部１３２ｃと、作動制御部１３２ｂが出力する信号により作動したＣＣＤ素子１３０が出力する信号に基づいて、被写体からの光束により形成された像に関する情報を処理するための像情報処理部１３２ｅと、像情報処理部１３２ｅが出力する信号に基づいてシャッター１４０の作動を制御するためにシャッター作動機構１７３に信号を出力するシャッター制御部１３２ｇと、像情報処理部１３２ｅが出力する信号に基づいて表示内容を制御するための表示制御部１３２ｈと、像処理部１３２ｅが出力する信号に基づいて被写体からの光束により形成された像を合焦させるために合焦機構１７２に信号を出力する焦点検出制御部１３２ｊと、像情報処理部１３２ｅが出力する信号に基づいて絞り１２６の作動を制御するために絞り作動機構１７４に信号を出力する絞り制御部１３２ｋとが設けられる。表示制御部１３２ｈは、表示すべき内容に関する信号を、表示部１６０、光学式ファインダー１１２、ＲＡＭカード１３４に出力する。
【００２２】
ダイヤル１１８ｂの操作により設定されるモードは、例えば、露出・露光はマニュアルモード（いわゆるＭモード）、絞り優先モード（いわゆるＡＶモード）、シャッター速度優先モード（いわゆるＴＶモード）、プログラムモード（いわゆるＰモード）のいずれであるか、焦点調節は自動モード（いわゆるＡＦモード）か手動モード（いわゆるＭＦモード）か、像の記録はＲＡＭカード、フレキシブルディスク、外部記録媒体のいずれであるか、などである。
【００２３】
図７を参照すると、シャッター制御部１３２ｇは、像情報処理部１３２ｅが出力する信号を受け入れて被写体からの光束の光量を測定するための光量測定部１５０と、シャッター本体１４２が開放位置から閉鎖位置まで移動するのに要するシャッター閉じきり時間に関する情報を記憶するためのシャッター閉じきり時間記憶部１５２と、光量測定部１５０が測定した被写体からの光束の光量の測定結果の信号を入力し、シャッター閉じきり時間記憶部１５２が記憶しているシャッター閉じきり時間に関する情報に基づいて、アクチュエータ１４４に加えられる動作用エネルギーの大きさを制御するためのシャッター作動制御部１５４とを備える。シャッター閉じきり時間記憶部１５２は、例えば、Ｅ２  ＰＲＯＭで構成することができる。
【００２４】
図８を参照すると、主処理ユニット（ＭＰＵ）１５６が、像情報処理部１３２ｅが出力する信号を受け入れて被写体からの光束の光量を測定するように構成される。さらに、主処理ユニット（ＭＰＵ）１５６は、シャッター本体１４２が開放位置から閉鎖位置まで移動するのに要するシャッター閉じきり時間に関する情報を記憶するためのシャッター閉じきり時間記憶部１５２を含む。シャッター作動制御部１５４は、アクチュエータ１４４を駆動する信号をアクチュエータ１４４をに出力するためのドライバＩＣ１５８と、アクチュエータ１４４を駆動する電流を制御するための帰還抵抗１６２と、帰還抵抗１６２をオンオフするための抵抗制御スイッチ１６４とを含む。主処理ユニット（ＭＰＵ）１５６は、像情報処理部１３２ｅから被写体からの光束の光量の測定結果の信号を入力し、シャッター閉じきり時間記憶部１５２が記憶しているシャッター閉じきり時間に関する情報に基づいて、抵抗制御スイッチ１６４の作動を制御するように構成される。主処理ユニット（ＭＰＵ）１５６は、ＩＣ１３２に内蔵することもできるし、ＩＣ１３２と別個に設けることもできる。ドライバＩＣ１５８は、ＩＣ１３２に内蔵することもできるし、ＩＣ１３２と別個に設けることもできる。
【００２５】
このような電流制御により、記憶されたシャッター作動時間をもとにして、シャッタードライバＩＣ（定電流ＩＣ）の帰還抵抗をスイッチングし、通常時においてアクチュエータ１４４を定電流駆動（通電開始からシャッター閉じきり時まで）させる状態と、アクチュエータ１４４に印加する電流値を増加させて定電流駆動（シャッター閉じきり時からシャッター停止時まで）させる状態とを切り換えることができる。増加後の電流値は、例えば、通常時における電流値の１．５０倍〜１．６５倍になるように設定するのがよい。
この構成により、シャッターのクローズ端付近で、アクチュエータ１４４に印加する電流値を増加させ、シャッター本体１４２を閉鎖時移動制限部１４６に大きな押しつけトルクで押しつけることができる。したがって、シャッター本体１４２のリバウンドを効果的に減少させることができ、露光時間を正確に維持することができる。
【００２６】
（１・４）デジタルカメラの作用
次に、本発明の第１の実施の形態において、デジタルカメラ１００の作用について説明する。図１〜図７を参照すると、ダイヤル１１８ｂの操作によりデジタルカメラ１００の作動モードを設定する。例えば、ダイヤル１１８の操作により、露出・露光はプログラムモードにして、焦点調節は自動モードにして、像の記録はＲＡＭカード１３４に行うように作動モードを設定する。
モード記憶部１３２ａは上記のように設定されたモードを記憶する。スイッチ１１６ａの作動に基づき、作動制御部１３２ｂが出力する信号によりＣＣＤ素子１３０が作動し、被写体からの光束を受け入れる。像情報処理部１３２ｅはＣＣＤ素子１３０が出力する信号に基づいて被写体からの光束により形成された像に関する情報を処理する。表示制御部１３２ｈは、像情報処理部１３２ｅが出力する信号に基づいて表示内容を制御する。表示制御部１３２ｈが出力する信号に基づいて表示部１６０に被写体からの光束により形成された像が表示される。
【００２７】
シャッターボタン１１４を１／２ストローク押すと、焦点検出制御部１３２ｊは、像情報処理部１３２ｅが出力する信号に基づいて被写体からの光束により形成された像を合焦させるための信号を合焦機構１７２に出力する。合焦機構１７２は撮影レンズ光学系１０６の一部のレンズ又は全部のレンズを移動させて被写体からの光束により形成された像を合焦させる。シャッター制御部１３２ｇおよび絞り制御部１３２ｋは、像情報処理部１３２ｅが出力する信号に基づいて、プログラムにより予め定められている適正なシャッター速度と絞りの値を演算する。
【００２８】
シャッターボタン１１４を全ストローク押すと、絞り制御部１３２ｋは、像情報処理部１３２ｅが出力する信号に基づいて絞り１２６を作動させるための信号を絞り作動機構１７４に出力して、絞り値が決定された値になるように絞り１２６を作動させる。さらに、シャッター制御部１３２ｇは、像情報処理部１３２ｅが出力する信号に基づいてシャッター１４０を作動させるための信号をシャッター作動機構１７３に出力して、シャッター１４０を決定された値でシャッター速度で作動させる。シャッター作動機構１７３はアクチュエータ１４４を含む。シャッター制御部１３２ｇの出力する信号によりアクチュエータ１４４を作動させ、アクチュエータ１４４の動作によりシャッター１４０は作動する。主処理ユニット（ＭＰＵ）１５６は、像情報処理部１３２ｅから被写体からの光束の光量の測定結果の信号を入力し、シャッター閉じきり時間記憶部１５２が記憶しているシャッター閉じきり時間に関する情報に基づいて、抵抗制御スイッチ１６４の作動を制御する。抵抗制御スイッチ１６４がオンになると、帰還抵抗１６２は機能せず、抵抗制御スイッチ１６４がオフになると、帰還抵抗１６２は機能する。
【００２９】
図４、図５および図９を参照すると、横軸にシャッターボタン１１４を全ストローク押したときからの時間が示され、縦軸にアクチュエータ１４４に加えられる印加電流（太い実線）と、ＣＣＤ素子１３０に入射する被写体からの光束による光量（二点鎖線）が示されている。シャッターボタン１１４を全ストローク押してから時間Ｔ１が経過したとき、シャッター作動制御部１５４はアクチュエータ１４４に定常駆動電流Ｉ１を流す。定常駆動電流Ｉ１は、シャッター本体１４２は、図４に示す開放状態から左方向（反時計回り方向：図４に矢印で示す）に回転させることができるような方向（以下、「第１の方向」という）に流れる。アクチュエータ１４４が作動すると、シャッター本体１４２は、図４に示す開放状態から左方向（反時計回り方向：図４に矢印で示す）に回転する。シャッターボタン１１４を全ストローク押してから時間Ｔ２が経過したとき、シャッター本体１４２は、露光路に入り、ＣＣＤ素子１３０を部分的に遮るようになる。したがって、時間Ｔ２経過すると、ＣＣＤ素子１３０に入射する被写体からの光束による光量が減少しはじめる（図９参照）。
【００３０】
シャッターボタン１１４を全ストローク押してから時間Ｔ３が経過したとき、シャッター本体１４２は、ＣＣＤ素子１３０を完全に遮るようになる。そして、時間Ｔ３が経過すると、ＣＣＤ素子１３０に入射する被写体からの光束による光量はゼロ（０）になる（図９参照）。また、シャッターボタン１１４を全ストローク押してから時間Ｔ３が経過したとき、シャッター作動制御部１５４はアクチュエータ１４４に最大駆動電流Ｉ２を流す。最大駆動電流Ｉ２は定常駆動電流Ｉ１より大きくなるように設定される。最大駆動電流Ｉ２は、前記第１の方向に流れる。最大駆動電流Ｉ２と定常駆動電流Ｉ１の関係は、帰還抵抗１６２の大きさを調整することにより設定することができる。
【００３１】
シャッターボタン１１４を全ストローク押してから時間Ｔ４が経過したとき、シャッター作動制御部１５４はアクチュエータ１４４に流す電流をゼロ（０）にする（図９参照）。シャッター本体１４２は、図５に示す閉鎖状態になる。シャッターボタン１１４を全ストローク押してから時間Ｔ４が経過し、シャッター本体１４２が閉鎖位置にあるとき、シャッター本体１４２は閉鎖時移動制限部１４６に接触する。
その後、アクチュエータ１４４に電流を流して、シャッター本体１４２を右方向（時計回り方向：図５に矢印で示す）に回転させる。このとき、アクチュエータ１４４に流れる電流は、前記第１の方向とは逆の方向（以下、「第２の方向」という）に流れる。シャッター本体１４２が開放位置にあるとき、シャッター本体１４２は開放時移動制限部１４８に接触する。シャッター閉じきり時間記憶部１５２は、設定可能なすべてのシャッター速度について、それぞれのＴ３の値を記憶している。表示制御部１３２ｈは、前記シャッター速度でシャッターが開放されている時間に対応して、被写体からの光束により形成された像をＲＡＭカード１３４に記録する。
【００３２】
（２）第２の実施の形態
次に、本発明の第２の実施の形態のデジタルカメラについて説明する。以下の説明は、本発明の第２の実施形態におけるデジタルカメラの構成および作動が、本発明の第１の実施の形態におけるデジタルカメラの構成および作動と異なる点を主に述べる。したがって、以下に記載がない個所は、前述した本発明の第１の実施の形態についての説明をここに準用する。
図１０を参照すると、本発明の第２の実施の形態において、デジタルカメラはＩＣ２３２を備える。ＩＣ２３２には、モード記憶部１３２ａと、作動制御部１３２ｂと、ストロボ制御部１３２ｃと、像情報処理部１３２ｅと、像情報処理部１３２ｅが出力する信号に基づいてシャッター１４０の作動を制御するためにシャッター作動機構１７３に信号を出力するシャッター制御部１３２ｇと、表示制御部１３２ｈと、焦点検出制御部１３２ｊと、絞り制御部１３２ｋとが設けられる。
【００３３】
シャッター制御部２３２ｇは、像情報処理部１３２ｅが出力する信号を受け入れて被写体からの光束の光量を測定するための光量測定部２５０と、光量測定部２５０が測定した被写体からの光束の光量の測定結果を演算するための光量演算部２５２と、光量演算部２５２が演算した被写体からの光束の光量の演算結果の信号を入力して、アクチュエータ１４４に加えられる動作用エネルギーの大きさを制御するためのシャッター作動制御部２５４とを備える。
光量演算部２５２は、開放状態における被写体からの光束の光量Ｋ１を演算する。光量Ｋ１は、ＣＣＤ素子１３０に入射する被写体からの光束による全部の光量から求める。次に、光量演算部２５２は、シャッターボタン１１４を全ストローク押してから、ＣＣＤ素子１３０に入射する被写体からの光束による光量がなくなる時、すなわちＴ３を検出するように構成される。
【００３４】
シャッターボタン１１４を全ストローク押してから時間Ｔ１が経過したとき、シャッター作動制御部２５４はアクチュエータ１４４に定常駆動電流Ｉ１を流す。定常駆動電流Ｉ１は第１の方向に流れる。アクチュエータ１４４が作動すると、シャッター本体１４２は、図４に示す開放状態から左方向（反時計回り方向：図４に矢印で示す）に回転する。シャッターボタン１１４を全ストローク押してから時間Ｔ２が経過したとき、シャッター本体１４２は、露光路に入り、ＣＣＤ素子１３０を部分的に遮るようになる。したがって、時間Ｔ２経過すると、ＣＣＤ素子１３０に入射する被写体からの光束による光量が減少しはじめる（図９参照）。
【００３５】
シャッターボタン１１４を全ストローク押してから時間Ｔ３が経過したとき、シャッター本体１４２は、ＣＣＤ素子１３０を完全に遮るようになる。そして、時間Ｔ３が経過すると、ＣＣＤ素子１３０に入射する被写体からの光束による光量はゼロ（０）になる（図９参照）。光量演算部２５２が、ＣＣＤ素子１３０に入射する被写体からの光束による光量はゼロ（０）になったことを検出すると、シャッター作動制御部２５４はアクチュエータ１４４に最大駆動電流Ｉ２を流す。最大駆動電流Ｉ２は定常駆動電流Ｉ１より大きくなるように設定される。最大駆動電流Ｉ２は第１の方向に流れる。最大駆動電流Ｉ２と定常駆動電流Ｉ１の関係は、シャッター作動制御部２５４の構成を変えることにより設定することができる。
【００３６】
変形例として、光量演算部２５２は、シャッターボタン１１４を全ストローク押してから、ＣＣＤ素子１３０に入射する被写体からの光束による光量が、Ｋ１に対して所定の比率Ｈ１になる時、例えば、０．０１×Ｋ１になる時（Ｋ１の１％になる時：Ｈ１＝０．０１のとき）、すなわちＴ５を検出する。この構成では、光量演算部２５２が、ＣＣＤ素子１３０に入射する被写体からの光束による光量は０．０１×Ｋ１になったことを検出すると、シャッター作動制御部２５４はアクチュエータ１４４に最大駆動電流Ｉ２を流す。所定の比率Ｈ１は、シャッター作動制御部２５４の構成を変えることにより設定することができる。
【００３７】
（３）第３の実施の形態
次に、本発明の第３の実施の形態のデジタルカメラについて説明する。以下の説明は、本発明の第３の実施形態におけるデジタルカメラの構成および作動が、本発明の第１の実施の形態におけるデジタルカメラの構成および作動と異なる点を主に述べる。したがって、以下に記載がない個所は、前述した本発明の第１の実施の形態についての説明をここに準用する。
本発明の第３の実施の形態のデジタルカメラにおいて、デジタルカメラは、ＣＣＤ素子３３０と、シャッター３４０とを備える。シャッター３４０の構造について説明する。図１１は、シャッター３４０が「開放状態」にあるときを示す。図１１に示す状態では、被写体からの光束はＣＣＤ素子３３０に入射される。図１２は、シャッター３４０が「閉鎖状態」にあるときを示す。図１２に示す状態では、被写体からの光束はＣＣＤ素子３３０に到達しない。
【００３８】
図１１および図１２を参照すると、シャッター３４０は、シャッター本体３４２と、シャッター本体３４２を作動させるためのアクチュエータ３４４（二点鎖線で示す）と、シャッター本体３４２が閉鎖位置にあるときおよびシャッター本体３４２が開放位置にあるときに、シャッター本体３４２の移動を制限するための移動制限部３４６（右下がりの細かいハッチングで示す）とを備える。移動制限部３４６は円柱状に構成されるのが好ましい。
シャッター本体３４２には、被写体からの光束をＣＣＤ素子３３０に入射させるための撮影用開口部３４２ａと、シャッター本体３４２の回転中心を基準として、撮影用開口部３４２ａに対してほぼ点対称に形成された反対側開口部３４２ｂとが形成される。撮影用開口部３４２ａは、開き角度が９０度であるのが好ましい。反対側開口部３４２ｂ、開き角度が９０度であるのが好ましい。
【００３９】
反対側開口部３４２ｂには、シャッター３４０が「開放状態」にあるときに、移動制限部３４６に接触するための半円形の開放時ノッチ３４２ｆが形成される。撮影用開口部３４２ａには、シャッター３４０が「閉鎖状態」にあるときに、移動制限部３４６に接触するための半円形の閉鎖時ノッチ３４２ｇが形成される。反対側開口部３４２ｂを設けることにより、シャッター本体３４２の回転中心に対する一次モーメントを減らすことができる。アクチュエータ３４４の出力部３４４ｄ（右上がりの粗いハッチングで示す）はシャッター本体３４２に固定される。アクチュエータ３４４の出力部３４４ｄは、歯車機構（図示せず）などの伝達機構（変速機構）を介してシャッター本体３４２に固定してもよい。アクチュエータ３４４により、シャッター本体３４２を左右両方向に回転させることができるように構成される。アクチュエータ３４４は、例えば、ソレノイド、モータ、ばね、ぜんまい、磁石などで構成することができる。
シャッター本体３４２が閉鎖位置にあるとき、シャッター本体３４２の閉鎖時ノッチ３４２ｆは移動制限部３４６に接触するように構成される（図１２参照）。シャッター本体３４２が開放位置にあるとき、シャッター本体３４２の開放時ノッチ３４２ｇは移動制限部３４６に接触するように構成される（図１１参照）。
【００４０】
図１１および図１２を参照すると、シャッターボタン１１４を全ストローク押してから時間Ｔ１が経過したとき、シャッター作動制御部１５４はアクチュエータ３４４に定常駆動電流Ｉ１を流す。定常駆動電流Ｉ１は第１の方向に流れる。アクチュエータ３４４が作動すると、シャッター本体３４２は、図１１に示す開放状態から左方向（反時計回り方向：図１１に矢印で示す）に回転する。シャッターボタン１１４を全ストローク押してから時間Ｔ２が経過したとき、シャッター本体３４２は、露光路に入り、ＣＣＤ素子３３０を部分的に遮るようになる。したがって、時間Ｔ２経過すると、ＣＣＤ素子３３０に入射する被写体からの光束による光量が減少しはじめる（図９参照）。
【００４１】
シャッターボタン１１４を全ストローク押してから時間Ｔ３が経過したとき、シャッター本体３４２は、ＣＣＤ素子３３０を完全に遮るようになる。そして、時間Ｔ３が経過すると、ＣＣＤ素子３３０に入射する被写体からの光束による光量はゼロ（０）になる（図９参照）。また、シャッターボタン１１４を全ストローク押してから時間Ｔ３が経過したとき、シャッター作動制御部１５４はアクチュエータ３４４に最大駆動電流Ｉ２を流す。最大駆動電流Ｉ２は定常駆動電流Ｉ１より大きくなるように設定される。最大駆動電流Ｉ２は第１の方向に流れる。
【００４２】
シャッターボタン１１４を全ストローク押してから時間Ｔ４が経過したとき、シャッター作動制御部１５４はアクチュエータ３４４に流す電流をゼロ（０）にする（図９参照）。シャッター本体３４２は、図５に示す閉鎖状態になる。シャッターボタン１１４を全ストローク押してから時間Ｔ４が経過し、シャッター本体３４２が閉鎖位置にあるとき、シャッター本体３４２の閉鎖時ノッチ３４２ｇは移動制限部３４６に接触する。
その後、アクチュエータ３４４に電流を流して、シャッター本体３４２を右方向（時計回り方向：図１２に矢印で示す）に回転させる。このとき、アクチュエータ３４４に流れる電流は、第１の方向とは逆の第２の方向に流れる。シャッター本体３４２が開放位置にあるとき、シャッター本体３４２の開放時ノッチ３４２ｆは移動制限部３４６に接触する。
本発明の第３の実施の形態のデジタルカメラにおけるＣＣＤ素子３３０と、シャッター３４０とは、本発明の第２の実施の形態のデジタルカメラに適用することもできる。
【図面の簡単な説明】
【図１】本発明のデジタルカメラの第１の実施形態を示す斜視図である。
【図２】本発明のデジタルカメラの第１の実施形態を示す背面図である。
【図３】本発明のデジタルカメラの第１の実施形態を示す部分断面図である。
【図４】本発明のデジタルカメラの第１の実施形態において、シャッター本体が露光路を開いている位置にある状態を示す正面図である。
【図５】本発明のデジタルカメラの第１の実施形態において、シャッター本体が露光路を閉じいている位置にある状態を示す正面図である。
【図６】本発明のデジタルカメラの第１の実施形態において、回路の概略構成を示すブロック図である。
【図７】本発明のデジタルカメラの第１の実施形態において、シャッター機構を作動させる回路の概略構成を示すブロック図である。
【図８】本発明のデジタルカメラの第１の実施形態において、シャッター機構を作動させる回路の具体的な構成を示すブロック図である。
【図９】本発明のデジタルカメラの第１の実施形態において、シャッター機構の作動時における印加電流、光量変化の概要を示すグラフである。
【図１０】本発明のデジタルカメラの第２の実施形態において、シャッター機構を作動させる回路の具体的な構成を示すブロック図である。
【図１１】本発明のデジタルカメラの第３の実施形態において、シャッター本体が露光路を開いている位置にある状態を示す正面図である。
【図１２】本発明のデジタルカメラの第３の実施形態において、シャッター本体が露光路を閉じいている位置にある状態を示す正面図である。
【符号の説明】
１００    デジタルカメラ
１０２    カメラボディ
１０４    撮影レンズ
１０６    撮影レンズ光学系
１１２    光学式ファインダー
１１４    シャッターボタン
１２０    電池
１２６    絞り
１３０    ＣＣＤ素子
１３２    ＩＣ
１３２ａ  モード記憶部
１３２ｂ  作動制御部
１３２ｃ  ストロボ制御部
１３２ｅ  像情報処理部
１３２ｇ  シャッター制御部
１３２ｈ  表示制御部
１３２ｊ  焦点検出制御部
１３２ｋ  絞り制御部
１３６    水晶振動子
１４０    シャッター
１４２    シャッター本体
１４４    アクチュエータ
１４６    閉鎖時移動制限部
１４８    開放時移動制限部
１５２    シャッター閉じきり時間記憶部
１５４    シャッター作動制御部
１５６    主処理ユニット（ＭＰＵ）
１５８    ドライバＩＣ
１６０    表示部
１６２    帰還抵抗
２３２    ＩＣ
２５０    光量測定部
２５２    光量演算部
２５４    シャッター作動制御部
３３０    ＣＣＤ素子
３４０    シャッター
３４２    シャッター本体
３４４    アクチュエータ
３４６    移動制限部
【図１】
2004219740.tif 000003
【図２】
2004219740.tif 000004
【図３】
2004219740.tif 000005
【図４】
2004219740.tif 000006
【図５】
2004219740.tif 000007
【図６】
2004219740.tif 000008
【図７】
2004219740.tif 000009
【図８】
2004219740.tif 000010
【図９】
2004219740.tif 000011
【図１０】
2004219740.tif 000012
【図１１】
2004219740.tif 000013
【図１２】
2004219740.tif 000014